【手続補正書】
【提出日】平成18年11月10日(2006.11.10)
【手続補正１】
【補正対象書類名】明細書
【補正対象項目名】特許請求の範囲
【補正方法】変更
【補正の内容】
【特許請求の範囲】
【請求項１】映像信号のコピー防止を強化する、または動的コピー防止を提供する方法であって、
映像信号を受信する手順と、
映像信号におけるコピー防止処理の属性を生成する手順と、
コピー防止を強化する、または前記動的コピー防止を提供するため、起動された前記コピー防止の少なくとも一部を維持しつつ、シーン内容に基づいて、映像信号の少なくともビデオラインにおいてコピー防止処理の属性を動的に変更する手順と、
を有する映像信号のコピー防止を強化する方法。
【請求項２】  属性の動的変更は映像信号の少なくとも一本のラインにおける明るさまたはシーン内容に関係する、請求項１記載の方法。
【請求項３】  前記変更の前にシーン内容の平均画像レベルを検出する手順をさらに有し、
前記変更は平均画像レベルに関する信号を映像信号に加える手順を含む、請求項２記載の方法。
【請求項４】  変更される属性は帰線エンハンサーの下側レベルであり、前記帰線エンハンサーは映像信号中の通常の同期信号の発生とは異なる時間に減衰された映像信号の表示中に帰線を生じさせる、請求項１記載の方法。
【請求項５】  変更する手順は、シーン内容が平均よりも暗い場合に、下側レベルを映像信号のブランキングレベルよりも下に変更する手順を含む、請求項４記載の方法。
【請求項６】  変更する手順は、シーン内容が平均よりも明るい場合に、下側レベルを映像信号のブランキングレベルよりも上に変更する、請求項４記載の方法。
【請求項７】  同期信号は水平同期信号であり、
帰線エンハンサーは、映像信号のフィールドにおける複数のラインのオーバースキャン部分の複数の移り変わりによって形成されたチェッカーパターンを含む、
請求項４記載の方法。
【請求項８】  同期信号は垂直同期信号であり、
帰線エンハンサーは、上記下側レベルの他に、中間パターンの上側レベルを含み、上記上側レベルと上記下側レベルの各々は、映像信号のフィールドの最後の付近に加えられる、
請求項４記載の方法。
【請求項９】  属性は映像信号に通常現れる同期信号の幅である、請求項１記載の方法。
【請求項１０】  変更する手順は、平均よりも暗いシーン内容に対する同期信号の幅が、平均よりも明るいシーン内容に対する同期信号の幅よりも小さく狭幅化される手順を含む、請求項７記載の方法。
【請求項１１】  映像信号のコピー防止を強化する、または動的コピー防止を提供する方法であって、
減衰された映像信号における通常のものでない帰線を示すタイプの帰線エンハンサーを生成する手順と、
起動されたコピー防止の少なくとも一部を維持しつつ、映像信号中の少なくとも１つのラインにおいて、シーン内容に基づき帰線エンハンサーを変更する手順と、
を有する方法。
【請求項１２】  上記変更する手順は、シーン内容に関連した信号を映像信号に付加して帰線エンハンサーをレベルシフトする手順を含む、請求項１１記載の方法。
【請求項１３】  上記変更する手順の前に、帰線エンハンサーを映像信号に付加する手順と、
上記変更する手順の間に、シーン内容に関連した信号を該映像信号に付加する手順と、
を更に有する請求項１１記載の方法。
【請求項１４】  変更された帰線エンハンサーを生成するため、上記変更する手順の間に、シーン内容に関連した信号を上記帰線エンハンサーに付加する手順と、
該変更された帰線エンハンサーを上記映像信号に付加する手順と、
を更に有する請求項１１記載の方法。
【請求項１５】  帰線エンハンサーは、映像信号の複数の連続ラインのオーバースキャン部分における複数の移り変わりによって形成されたチェッカーパターンを含む、請求項１１記載の方法。
【請求項１６】  帰線エンハンサーは、映像信号の第１のフィールドの最後の付近で第１のラインに付加された高レベルによって形成された中間パターンと、映像信号の第２のフィールドの最後の付近で第２のラインに付加された低レベルとを含む、請求項１１記載の方法。
【請求項１７】  帰線エンハンサーは同期信号を含み、
上記変更する手順は、同期信号の幅を狭幅化する手順を含む、
請求項１１記載の方法。
【請求項１８】  映像信号のコピーが再生されるときに、映像信号のコピー防止を強化し、または動的コピー防止を提供する装置であって、映像信号は帰線エンハンサー及び同期信号を含むところの装置であって、
映像信号を受信する映像入力、及び、コピー防止処理された映像信号におけるシーン内容に関連した電圧レベルを動的に供給するインジケーター出力端子を具備した検知回路と、
映像入力に接続され、タイミング出力端子を具備し、コピー防止処理された映像信号に帰線エンハンサーが存在する場合に制御パルスを供給するタイミング発生器と、
コピー防止を更に強化または提供するため、制御パルスに応答して、シーン内容に応じて変更された帰線エンハンサーを映像信号と合成する手段と、
を有する装置。
【請求項１９】  検知回路は、シーン内容若しくは画像明るさレベル、又は、同期信号の振幅から電圧レベルを動的に生成する測定回路を具備し、
合成する手段は、制御パルスに応答して動的な電圧レベルを供給するスイッチ回路を具備する、
請求項１８記載の装置。
【請求項２０】  測定回路は、
映像入力に接続され、シーン内容、明るさ、又は、同期信号の振幅に応答して初期電圧信号を発生する平均画像レベルセンサと、
初期電圧信号に応答して電圧レベルを生成するレベル割当器回路と、
を具備する、
請求項１９記載の装置。
【請求項２１】  測定回路は、
映像入力に接続され、同期振幅に応答して初期電圧信号を発生する同期振幅センサと、
同期振幅センサに接続され、初期電圧信号に応答して電圧レベルを生成するレベル割当器回路と、を具備する、
請求項１９記載の装置。
【請求項２２】  同期振幅センサは、
映像入力に接続された同期分離器手段と、
同期分離器手段に接続されたサンプル・ホールド回路と、
サンプル・ホールド回路に接続され、サンプル・ホールド回路から複数の電圧レベルが与えられる差動増幅器と、
を具備し、
レベル割当器回路は差動増幅器の出力に接続されている、
請求項２１記載の装置。
【請求項２３】  同期分離器回路は、
サンプル・ホールド回路に応答する第１の同期分離器と、
第２のサンプル・ホールド回路に応答する第２の同期分離器と、
を具備する、
請求項２２記載の装置。
【請求項２４】  複数の電圧レベルは、同期チップ電圧及び／またはバックポーチ電圧を含む、請求項２２記載の装置。
【請求項２５】  測定回路は、反転増幅器（１１５）を含む、電圧レベルをスイッチ回路に供給するレベル割当器回路を具備する、請求項１９記載の装置。
【請求項２６】  測定回路は、アナログ・デジタル変換器、アナログ・デジタル変換器に接続されたメモリ、及び、メモリに接続されたデジタル・アナログ変換器を含み、電圧レベルをスイッチ回路に供給するレベル割当器回路を具備する、請求項１９記載の装置。
【請求項２７】  検知回路に応答して、シーン内容の関数として幅が動的に狭幅化された新しい同期信号を生成する手段と、
合成する手段と一体であり、動的に狭幅化された新しい同期信号を先に動的に強化された映像信号と合成する第２のスイッチ回路と、
を更に有する請求項１９記載の装置。
【請求項２８】  タイミング発生器に応答して、新しい同期及びカラーバーストゲート信号を生成するタイミング回路と、
新しい同期信号と共に新しいカラーバーストを供給する手段と、
を更に有し、
第２のスイッチ手段は、新しい同期及びカラーバーストゲート信号に応じて、動的に狭幅化された新しい同期信号及び新しいカラーバーストを映像信号と合成する、
請求項２７記載の装置。
【請求項２９】  生成する手段は、シーン内容に応答するプロセッサ回路と、プロセッサ手段に接続された可変タイミング長さ回路と、を具備する、請求項２８記載の装置。
【請求項３０】  合成する手段は、帰線エンハンサーの期間に電圧レベルを映像信号に加える加算手段を含む、請求項１９記載の装置。
【請求項３１】  合成する手段は、帰線エンハンサーの期間に電圧レベルを映像信号に挿入するスイッチ回路を具備する、
請求項１９記載の装置。
【請求項３２】  測定回路と一体的にされ、シーン内容、明るさ、又は、同期信号の振幅を表わす電圧レベルを生成するレベル割当回路と、
レベル割当手段に接続され、選択された低バイアス信号を供給する加算器と、
加算器に接続され、エンド・オブ・ライン周波数に応じて上側又は下側のエンド・オブ・ライン電圧を供給するエンド・オブ・ライン・スイッチ、及び、エンド・オブ・フィールド周波数に応じて上側又は下側のエンド・オブ・フィールド電圧を供給するエンド・オブ・フィールド・スイッチと、
エンド・オブ・ライン・スイッチ及びエンド・オブ・フィールド・スイッチに接続され、上側若しくは下側のエンド・オブ・ライン電圧、又は、上側若しくは下側のエンド・オブ・フィールド電圧を、対応したエンド・オブ・ライン・タイミング信号及びエンド・オフ・フィールド・タイミング信号に応じて、映像信号中の対応した帰線エンハンサーと合成するスイッチング回路と、
を更に有する請求項１９記載の装置。
【請求項３３】  帰線エンハンサーは、コピー防止処理された映像信号の選択されたラインの最後にチェッカー信号を含む、請求項１８記載の装置。
【請求項３４】  帰線エンハンサーは、コピー防止処理された映像信号のフィールドの最後に中間パターン信号を含む、請求項１８記載の装置。
【請求項３５】  映像信号のコピー防止を強化する、または動的コピー防止を提供する装置であって、
帰線エンハンサーとして映像信号にコピー防止をするコピー防止回路と、
コピー防止回路と接続した、映像信号の平均画像レベルを示す電圧レベルを動的に供給する測定回路と、
さらにコピー防止を強化するか、または動的コピー防止を提供するために、動的電圧レベルを帰線エンハンサーと合成する手段と、
を有する装置。
【請求項３６】  コピー防止回路は、帰線エンハンサーを発生する場合に初期電圧信号を印加し、
測定回路は、電圧入力ラインを介して結合する手段に動的電圧レベルを供給し、
動的電圧レベルは、コピー防止を施された映像信号が担うシーン内容の平均画像レベルの関数である、
請求項３５に記載の装置。
【請求項３７】  測定回路は、コピー防止処理された映像信号に含まれるエンド・オブ・ライン・チェッカー信号との選択的な合成のため、平均画像レベルの動的な関数である下側電圧レベルを供給する、
請求項３５記載の装置。
【請求項３８】  測定回路は、コピー防止処理された映像信号に含まれる中間パターン信号との選択的な合成のため、平均画像レベルの動的な関数である上側電圧レベルを供給し、
下側電圧レベル及び上側電圧レベルは、映像信号のエンド・オブ・フィールドで夫々に対応した帰線エンハンサーと合成される、
請求項３５記載の装置。
【請求項３９】  合成する手段は、
コピー防止処理された映像信号に応答して、コピー防止処理された映像信号におけるエンド・オブ・ライン帰線エンハンサーのエンド・オブ・ライン期間を表わすタイミング信号、及び、エンド・オブ・フィールド帰線エンハンサーのエンド・オブ・フィールド期間を表わすタイミング信号を発生し、
エンド・オブ・ライン・タイミング信号に応答して動的な電圧レベルのエンド・オブ・ライン・エンハンサーとの合成を開始させ、エンド・オブ・フィールド・タイミング信号に応答して動的な電圧レベルのエンド・オブ・フィールド・エンハンサーとの合成を開始させる手段を具備する、
請求項３５記載の装置。
【請求項４０】  測定回路は、
コピー防止された映像信号の平均画像レベルを示す初期電圧信号を供給する検知回路と、
検知回路に接続され、初期電圧信号に応じて、電圧レベルを、合成する手段へ供給するレベル割当回路を具備する、請求項３９記載の装置。
【請求項４１】  レベル割当回路は反転回路を具備する、請求項４０記載の装置。
【請求項４２】  レベル割当回路は、アナログ・デジタル変換器、アナログ・デジタル変換器に接続されたメモリ、及び、メモリに接続されたデジタル・アナログ変換器を具備する、請求項４０記載の装置。
【請求項４３】  測定回路は、映像信号の明るさまたはシーン内容に関する平均画像レベルを測定するシーン内容測定回路を含み、
合成する手段は、コピー防止された映像信号中の帰線エンハンサーの発生を示すタイミング信号を発生する手段を含む、
請求項３５に記載の装置。
【請求項４４】  シーン内容測定回路は、
コピー防止処理された映像信号を受信し、平均画像レベルの関数として下側レベル信号を生ずる平均画像レベルインジケーター回路と、
平均画像レベルの関数として上側レベル信号を生ずる手段と、
発生手段に応答して、一つ以上の下側レベル信号又は上側レベル信号を選択する信号選択スイッチと、
信号選択スイッチに応答して、選択された下側レベル信号又は上側レベル信号をコピー防止処理された映像信号と合成する手段と、
を具備する、
請求項４３記載の装置。
【請求項４５】  シーン内容測定回路は、
コピー防止処理された映像源をフィルタするフィルタ手段と、
フィルタ手段に接続され、映像信号のバックポーチ部分での平均画像レベルに関連したサンプルレベルを与えるサンプリング回路と、
反転回路を含み、平均画像レベルを表す電圧レベルを、合成する手段へ供給するレベル割当器回路と、
を具備する、
請求項４３記載の装置。
【請求項４６】  合成する手段は、入力側で測定回路及び基準電圧Ｖｒｅｆに接続され、発生手段に応答して、入力側へ与えられた入力のうちの一つを電圧レベルとして通過させるスイッチ回路を具備し、
コピー防止処理された映像信号をブランキングレベルよりも下にクランプするクランプ回路と、
クランプ回路に接続され、スイッチ回路からの電圧レベルに応答する電圧制御型増幅器と、
が更に設けられている請求項４３記載の装置。
【請求項４７】  測定回路は、映像信号における同期信号の振幅についての平均画像レベルを測定する同期振幅検知回路を具備し、
合成する手段は、コピー防止処理された映像信号における帰線エンハンサーの出現を表わすタイミング信号を生成する手段を具備する、
請求項３５記載の装置。
【請求項４８】  測定回路は、
同期信号の振幅を判定する同期分離器と、
同期分離器に応答して、電圧レベルを生じる電圧レベルサンプリング回路と、
を具備する、
請求項４７記載の装置。
【請求項４９】  電圧レベルサンプリング回路は、
同期分離器に接続され、バックポーチ及び同期信号チップの電圧レベルを生ずるサンプル・ホールド回路と、
サンプル・ホールド回路に応答する増幅器と、
増幅器に応答して、電圧レベルを生じるレベル割当器と、
を具備する、
請求項４８記載の装置。
【請求項５０】  映像信号のコピー防止を強化する、または動的コピー防止を提供する方法であって、
映像信号により担われたコピー防止プロセスの属性を映像信号の平均画像レベルに応じて動的に変更する手順と、
動的に強化されたコピー防止プロセスを提供するために、動的に変更した属性をコピー防止プロセスと結合する手順と、
を有する方法。
【請求項５１】  請求項５０に記載の方法であって、
属性は、少なくとも１本のラインのチェッカー信号、同期信号狭幅化、垂直ジッタ信号、同期信号振幅変更、及び／またはレベルシフトを含み、
属性は、映像信号中の少なくとも１つのラインにおける平均画像レベルに応じて異なって変更される、方法。
【請求項５２】  請求項５０に記載の方法であって、
動的に変更する手順は、
映像信号の平均画像レベルを継続的に検知する手順と、
映像信号の属性の発生を検出する手順と、
検知される平均画像レベルに応じて検出された属性を変更する手順と、
を有する方法。
【請求項５３】  請求項５２に記載の方法であって、
映像信号は同期信号を含み、
継続的に検知する手順は、映像信号の明るさレベル、シーン内容、または同期信号振幅の関数として、平均画像レベルを動的に測定する手順を含む、方法。